(57)【特許請求の範囲】
【請求項１】
衝突物の衝突によって生じる衝撃エネルギーを吸収する衝撃吸収柵において、
支柱または樹木間に張設された複数本の横ロープと、
前記横ロープに架設された複数本の縦ロープまたは可撓性を有する縦部材と、
前記縦ロープまたは前記縦部材に架設された複数本の剛性部材と、
前記衝撃吸収柵のほぼ全面を覆うように前記剛性部材の複数本に架設された、袋の内部に粒体または粉体または流体を封入した圧縮硬化性部材と、を有することを特徴とする衝撃吸収柵。
【請求項２】
前記剛性部材は、間伐材からなることを特徴とする請求項１に記載の衝撃吸収柵。
【請求項３】
前記圧縮硬化性部材は、袋の内部に木材のチップを封入したものからなることを特徴とする請求項１に記載の衝撃吸収柵。
【請求項４】
前記圧縮硬化性部材は、袋の内部に樹脂製の粒状体を封入したものからなることを特徴とする請求項１に記載の衝撃吸収柵。
【請求項５】
前記圧縮硬化性部材は、袋の内部に気体を密封し、前記袋は所定の圧力以上で気体を放出する手段を有することを特徴とする請求項１に記載の衝撃吸収柵。
【請求項６】
前記剛性部材の上にさらに、複数本の剛性部材にまたがって架設された剛性部材を有することを特徴とする請求項１に記載の衝撃吸収柵。
【請求項７】
前記圧縮硬化性部材の上にさらに、複数個の圧縮硬化性部材にまたがって架設された圧縮硬化性部材を有することを特徴とする請求項１に記載の衝撃吸収柵。
【請求項８】
前記横ロープは端部または中途部にループあるいは重畳部を設けられて張設されており、前記ループあるいは重畳部によって生じる横ロープの余長部を把持し横ロープの張力が所定の値より大きくなると摩擦を生じさせながら横ロープの余長部を摺動させる緩衝具が設けられている、ことを特徴とする請求項１に記載の衝撃吸収柵。
【請求項９】
前記横ロープは前記支柱または樹木の支持部にループあるいは重畳部を設けられて張設されており、前記ループあるいは重畳部によって生じる横ロープの余長部を把持し横ロープの張力が所定の値より大きくなると摩擦を生じさせながら前記横ロープの余長部を摺動させる緩衝具が設けられている、ことを特徴とする請求項１に記載の衝撃吸収柵。
【発明の詳細な説明】
【技術分野】
【０００１】
本発明は、車両や落石等が衝突した際の衝撃エネルギーを吸収する衝撃吸収柵に関する。
【０００２】
特に、本発明は、衝突物の衝突によって一部変形して衝撃エネルギーを吸収するとともに該衝突物の衝撃力の圧縮によって部材が剛性化（硬化）する圧縮硬化部材と剛性部材とロープとを組み合わせたことにより、衝撃エネルギーを分散して剛性部材に伝達し、前記剛性部材を介してロープを大きく撓ませることによって衝撃エネルギーを吸収することができる衝撃吸収柵に関する。
【０００３】
本発明は、山岳地における落石のための衝撃吸収柵に限定されるものではないが、落石用の衝撃吸収柵を例に説明することによって本発明を明確に把握することができるので、以下では山岳地における落石のための衝撃吸収柵を例に説明する。
【背景技術】
【０００４】
一般に、山岳地において、落石、雪崩等の衝撃エネルギーを吸収するために、衝撃吸収柵や堤体を設けることが行われている。
【０００５】
衝撃吸収柵としては色々な種類のものが考案されているが、本発明に類似する一般的なものを図７に示す。
【０００６】
図７において、符号２１は、従来の衝撃吸収柵の全体を示す。衝撃吸収柵２１は、支柱または樹木２２の間に、少なくとも２本の横ロープ２３を張設し（図７においては３本の横ロープ２３が設けられている）、それらの横ロープ２３に垂直に縦ロープ２４を設け、さらに横ロープ２３にまたがるように木材等の剛性部材２５を垂直に多数配設したものである。
【０００７】
なお、図７は横ロープ２３と縦ロープ２４の一部が見えるように、剛性部材２５の一部を取り去って示したものである。
【０００８】
また、符号２６は、支柱が樹木である場合に、樹木を保護するための保護材を示している。
【０００９】
この衝撃吸収柵２１によれば、落石が衝突したときに、剛性部材２５が落石を受け止めてその力を横ロープ２３に伝達する。縦ロープ２４は、横ロープ２３が離間するのを防止し、剛性部材２５の脱落を防止する。
【００１０】
剛性部材２５が落石の力を横ロープ２３に伝達することにより、横ロープ２３は落石の衝撃力によって弾性的に撓み、その弾性変形によって落石の衝撃エネルギーを吸収することができる。
【００１１】
なお、横ロープの弾性変形のみならず、横ロープを把持する金具と横ロープの間の摩擦を積極的に利用する提案が特許第２７７２５０５号公報に提案されている。
【特許文献１】特許第２７７２５０５号公報
【発明の開示】
【発明が解決しようとする課題】
【００１２】
しかし、従来の衝撃吸収柵は、落石の衝撃力が衝突箇所に集中し、剛性部材を破損させる可能性があった。
【００１３】
図７からも明らかなように、衝撃吸収柵２１に落石等が衝突した場合、落石の衝撃力は一本または数本の剛性部材に集中する。
【００１４】
このため、落石による圧縮力が大きければ、衝突された剛性部材が破損する可能性があった。 
そこで、本発明の解決しようとする一つの課題は、落石等の衝撃力を多数の剛性部材に分散伝達し、剛性部材の破損を防止することができる衝撃吸収柵を提供することにある。
【００１５】
従来の衝撃吸収柵のように、クッション性がない剛性部材によって直接落石を受け止める場合、落石の衝撃エネルギーが瞬間的に剛性部材に集中的に伝達される。
【００１６】
このため、横ロープが撓んで衝撃エネルギーを吸収する前に、瞬間的に剛性部材が破損する可能性があった。
【００１７】
そこで、本発明の解決しようとするもう一つの課題は、落石等の衝撃力を時間的に分散化し、クッション性を有して剛性部材の破損を防止することができる衝撃吸収柵を提供することにある。
【００１８】
従来の衝撃吸収柵２１では、落石が例えば剛性部材の上端部または下端部に衝突した場合、落石の力が衝突した剛性部材の上端部または下端部に集中し、横ロープが形成する面に捻れが生じる。
【００１９】
例えば落石が所定の剛性部材の上端部に衝突した場合、上側の横ロープのみが大きく撓み（伸び）、横ロープが形成する面が傾斜し、その結果落石を弾いてしまって受け止めることができないことが生じ得る。
【００２０】
また、たとえ落石を弾くまでに至らなくても、上側または下側の横ロープのみが撓む（伸びる）ことによって、十分な衝撃エネルギー吸収を行うことができなかった。
【００２１】
そこで、本発明が解決しようとするもう一つの課題は、衝突箇所の高さ方向がまちまちの落石に対して衝撃吸収柵全体がネット状に撓んで落石を包むようにして落石を捕捉し、多数の弾性部材が変形して効率よく衝撃エネルギーを吸収することができる衝撃吸収柵を提供することにある。
【００２２】
本発明の解決しようとする課題は、単一の構造によって上記各課題を同時に解決することができる衝撃吸収柵を提供することにある。
【課題を解決するための手段】
【００２３】
本発明による衝撃吸収柵は、
衝突物の衝突によって生じる衝撃エネルギーを吸収する衝撃吸収柵において、
支柱または樹木間に張設された複数本の横ロープと、
前記横ロープに架設された複数本の縦ロープまたは可撓性を有する縦部材と、
前記縦ロープまたは前記縦部材に架設された複数本の剛性部材と、
前記衝撃吸収柵のほぼ全面を覆うように前記剛性部材の複数本に架設された、袋の内部に粒体または粉体または流体を封入した圧縮硬化性部材と、を有することを特徴とする。
【００２４】
前記剛性部材は、間伐材からなるようにすることができる。
【００２５】
前記圧縮硬化性部材は、袋の内部に木材のチップを封入したものからなるようにすることができる。
【００２６】
前記圧縮硬化性部材は、袋の内部に樹脂製の粒状体を封入したものからなるようにすることができる。
【００２７】
前記圧縮硬化性部材は、袋の内部に気体を密封し、前記袋は所定の圧力以上で気体を放出する手段を有するようにすることができる。
【００２８】
前記剛性部材の上にさらに、複数本の剛性部材にまたがって架設された剛性部材を有するようにすることができる。
【００２９】
前記圧縮硬化性部材の上にさらに、複数個の圧縮硬化性部材にまたがって架設された圧縮硬化性部材を有するようにすることができる。
【００３０】
前記横ロープは、該横ロープを把持し横ロープの張力が所定の値より大きくなると摩擦を生じさせながら横ロープを摺動させる緩衝具を有している、ようにすることができる。
【発明の効果】
【００３１】
本発明による衝撃吸収柵は、袋の内部に粒体または粉体または流体を封入した圧縮硬化性部材を有する。該圧縮硬化性部材は複数本の剛性部材にまたがって架設されている。
【００３２】
圧縮硬化性部材は、衝突物の圧縮を受けることにより変形し、袋の封入物が袋内部で移動する。該変形の過程では袋の封入物が互いに摩擦しながら移動するため、その間に衝撃エネルギーが摩擦仕事に消費され、クッション性を有して衝撃エネルギーを減衰させることができる。
【００３３】
また、圧縮硬化性部材は、圧縮によって減少した体積分だけ袋の残りの部分の密度が上がり、圧縮硬化性部材の全体が棒状あるいは柱状の剛性部材のように硬化する。
【００３４】
硬化した圧縮硬化性部材は、架設している複数本の剛性部材に衝撃力を分散して伝達することができる。
【００３５】
このように、本発明によれば、圧縮硬化性部材の変形によって衝撃力を時間的に分散してクッションのように衝撃力を緩和するとともに、硬化した圧縮硬化性部材によって衝撃力を複数の剛性部材に分散伝達することができる。
【００３６】
これにより、本発明によれば、剛性部材が破損する可能性を大幅に低くすることができる。
【００３７】
また、本発明によれば、圧縮硬化性部材は剛性部材と縦ロープまたは可撓性縦部材および上側と下側の横ロープに分散して衝撃力を伝達する。
【００３８】
すなわち、本発明によれば、圧縮硬化性部材の高さ方向の所定の場所に衝突物が衝突した場合、圧縮硬化性部材が衝突箇所を中心に撓んで硬化しながら変位し、それに従って剛性部材がその位置する高さに応じて異なる変位をし、剛性部材の変位はさらに縦ロープまたは可撓性縦部材を介して上下の横ロープに伝達する。
【００３９】
これにより、本発明によれば、衝突物が上下横ロープの間の高さ位置に衝突したときに、衝撃吸収柵の全体がネット状に撓んで衝突物を包むように捕捉し、かつ、多数の弾性部材が弾性変形して大きな衝撃エネルギーを吸収することができる。これにより、衝突によって衝撃吸収柵が傾き、衝突物を通過させる可能性を大幅に低くすることができる。
【００４０】
本発明は、上記複数の効果を横ロープと縦ロープまたは可撓性縦部材と剛性部材と圧縮硬化性部材の組合せによって同時に達成することができる。
【００４１】
このように、本発明は単純かつ廉価な構造によって、上記した複数の作用効果を同時に奏することができる衝撃吸収柵を提供することができる。
【００４２】
剛性部材が間伐材からなる衝撃吸収柵よれば、山岳地で剛性部材の材料を豊富かつ安価に入手でき、安価な衝撃吸収柵を得ることができる。
【００４３】
同様に、圧縮硬化性部材が袋の内部に木材のチップを封入したものからなる衝撃吸収柵よれば、山岳地で袋の封入物を豊富かつ安価に入手でき、安価な衝撃吸収柵を得ることができる。
【発明を実施するための最良の形態】
【００４４】
以下、添付図面を参照して、本発明の実施の形態を説明する。
【００４５】
図１は、本発明の一実施形態による衝撃吸収柵を示している。
【００４６】
本実施形態の衝撃吸収柵１は、樹木２の間に張設された複数本の横ロープ３と、横ロープ３に架設された複数本の縦ロープ４と、縦ロープ４に架設された複数本の剛性部材５と、複数本の剛性部材５に架設された圧縮硬化性部材６とを有している。
【００４７】
符号７は、樹木２を保護するための保護材を示している。
【００４８】
図２，３は、衝撃吸収柵１を製作する過程を示したものである。
【００４９】
衝撃吸収柵１の製作過程の説明を通じて、衝撃吸収柵１の構造がより明確に把握されるので、以下図１，２，３を参照しながら、衝撃吸収柵１の構造及び製作方法を説明する。
【００５０】
なお、図１，２，３においては同一の部分には同一の符号を付している。
【００５１】
図２は、樹木２の間に横ロープ３と縦ロープ４とを張設したところを示している。
【００５２】
樹木２に代えてコンクリートや鋼材からなる支柱を用いてもよい。樹木２である場合、横ロープ３を掛ける部分には保護材７を設けて樹木２を保護するのが好ましい。
【００５３】
最初に樹木２の間に横ロープ３を張設する。
【００５４】
横ロープ３は少なくとも２本必要であり、本実施形態の場合は３本設けている。
【００５５】
横ロープ３には、縦ロープ４が架設されている。
【００５６】
縦ロープ４は、可撓性を有する縦部材（可撓性縦部材）でもよい。
【００５７】
縦ロープ４または可撓性縦部材は、好ましくはほぼ垂直に設けるが、角度は限定されず、複数の横ロープ３にまたがるように架設すればよい。
【００５８】
横ロープ３と縦ロープ４の交差点は、止め金具等によって固定するのが好ましい。
【００５９】
横ロープ３や縦ロープ４は、引張強度を有し弾性変形可能な材料からなり、たとえば鋼線を利用することができる。
【００６０】
可撓性縦部材は、可撓性を有しかつ軽量な適当な材料を用いることができる。
【００６１】
図３は、図２の状態の衝撃吸収柵に剛性部材５を設けたところを示している。
【００６２】
剛性部材５は、縦ロープ４または可撓性縦部材にまたがるように設けられている。
【００６３】
剛性部材５は、好ましくは水平に設けるが、角度は限定されず複数の縦ロープ４または可撓性縦部材にまたがるように架設すればよい。
【００６４】
剛性部材５は、剛性を有しかつ軽量な材料からなり、間伐材を利用することができる。
【００６５】
剛性部材５は、図３に示すように、千鳥状に配置することができる。また、剛性部材５を隙間無く配置することもできる。
【００６６】
剛性部材５と縦ロープ４の結合は、ワイヤー、金具等を利用することができる。
【００６７】
剛性部材５の上に、すなわち衝突物が飛来する側に、圧縮硬化性部材６を複数の剛性部材５にまたがるように架設する。以上のように構成することによって図１に示す衝撃吸収柵１が完成する。
【００６８】
圧縮硬化性部材６は、袋の内部に粒体または粉体または流体を封入したものである。
【００６９】
圧縮硬化性部材６は、好ましくはほぼ垂直に配設し、衝撃吸収柵１の全面を覆うように設ける。
【００７０】
圧縮硬化性部材６の袋の素材は、変形が可能で、引張り強度の高い素材であることが好ましい。
【００７１】
袋の材料として例えばジオテキスタイルやアラミド繊維、あるいは鋼線等の高強度の素材を筒状に編成したもの、あるいは、高強度の樹脂シートを袋状に縫製したものを使用することができる。
【００７２】
圧縮硬化性部材６の袋に封入するものは軽量であって、流動性を有するものが好ましい。
【００７３】
封入物としては、例えば木材のチップ、樹脂製の粒状体、粉体、ゲル化した膨潤体、砂や粘土、空気等を使用することができる。
【００７４】
ただし、空気等の気体は、衝撃力に対してクッション性を有するが、吸収した衝撃エネルギーのほとんど全てを弾性的に放出する。このため、気体を用いる圧縮硬化性部材６は、気体を袋に密封することもできるが、好ましくは袋に所定の圧力以上で内部気体を放出する手段、例えば所定の圧力以上で開放し当該所定圧力以下では弾性的に閉鎖する弁手段を設けることができる。
【００７５】
なお、山岳地で使用する衝撃吸収柵は、圧縮硬化性部材６の封入物として木材のチップを好適に利用することができる。
【００７６】
山岳地では、間伐材が豊富に入手可能であるので、木材破砕機を導入して木材チップを容易に製造することができる。
【００７７】
また、木材チップは、軽量であり、袋への封入作業も容易である。
【００７８】
さらに、木材チップを封入物として利用すれば、適度なクッション性を有し、且つ、落石等が衝突したときは、その圧縮によって圧縮硬化性部材６全体を硬化させることができる。
【００７９】
次に、衝撃吸収柵１の作用について図４と図５を用いて説明する。
【００８０】
図４は、圧縮硬化性部材６が硬化して剛性部材５に衝撃力を分散伝達する様子を示している。
【００８１】
図４に示すように、衝突物８が圧縮硬化性部材６に衝突すると、衝突当初では圧縮硬化性部材６は柔軟であるため、圧縮硬化性部材６が衝突物８に圧縮されて変形する。
【００８２】
衝突物８が圧縮硬化性部材６の内部にめり込む過程で、圧縮硬化性部材６の封入物は互いに摩擦しながら移動し、衝撃力を緩和する。すなわち、圧縮硬化性部材６はクッションのように圧縮硬化性部材６の衝撃を吸収する。
【００８３】
ある程度衝突物８が圧縮硬化性部材６を変形させると、圧縮応力が強い領域が衝突箇所を中心に広がり、ついに圧縮硬化性部材６の内部全体の圧縮応力が高くなり、圧縮硬化性部材６が硬化して柱状（図４に示すように衝突物を中心に湾曲した柱状）の剛性部材のようになる。
【００８４】
硬化した圧縮硬化性部材６は、水平方向に上下に平行配置された複数の剛性部材５に衝突物８の衝撃力を分散伝達する。このとき、剛性部材５は水平方向に配置されているため、図４に示すように、圧縮硬化性部材６の湾曲した形状に沿って、高さ方向の位置に応じて異なる変位をし、全体として見れば衝突物８を中心に窪んだ形状に変位する。
【００８５】
圧縮硬化性部材６に押された上記剛性部材５は、垂直方向に複数配設された縦ロープ４に衝撃力を分散伝達する。
【００８６】
さらに、縦ロープ４は、水平方向に上下複数張設された横ロープ３に衝撃力を分散伝達する。
【００８７】
このように、衝撃力が多数の剛性部材５によって分散して受け止められるので、剛性部材５が破損することがない。
【００８８】
また、衝突の初期において、衝突物８の衝撃力が圧縮硬化性部材６のクッション性によって緩和されるので、衝撃エネルギーの瞬間的な放出によって剛性部材５が破損させられることがない。
【００８９】
本発明によれば、衝突物８の衝撃力は、衝撃吸収柵１の多数の弾性部材の弾性変形によって衝撃エネルギーを吸収することができる。
【００９０】
また、衝撃吸収柵１の高さ方向について見た場合、剛性部材５が衝突物８の衝突位置を中心に異なる変位をし、衝突物８を包むようにして衝突物８を捕捉することができる。これにより、衝突物８が上下の横ロープ３の間の高さに衝突すれば、衝撃吸収柵が衝突物８を包むようにこれを捕捉する性質を有し、衝突物８を通過させる可能性を大幅に低減させることができる。
【００９１】
本発明と比較するために、衝突物８が従来の衝撃吸収柵に衝突した場合を図５（ｂ）に示す。
【００９２】
従来の衝撃吸収柵では、衝突物８の衝撃力が衝突箇所に集中する。
【００９３】
このため、図５（ｂ）に示すように、衝突箇所の剛性部材、および、上下いずれかの側の横ロープが大きく変位する。
【００９４】
変位を生じる横ロープが限られるため、多数の横ロープによって衝撃エネルギーを弾性吸収することができず、衝突箇所に近い横ロープに過大な力がかかり、破断に至るおそれがある。
【００９５】
また、衝突物８の衝撃力が緩和されずに直接剛性部材に伝えられるため、衝撃エネルギーの瞬間的な放出によって剛性部材が破損する可能性が高い。
【００９６】
さらに、衝突箇所に近い横ロープが大きく撓むのに対して衝突箇所に遠い横ロープはほとんど撓まない。これによって、横ロープが形成する面が捻れて傾斜し、衝突物８を弾いて衝突物８を通過させる可能性が高い。
【００９７】
以上のように、本発明の衝撃吸収柵１は、横ロープ３と縦ロープ４と剛性部材５と圧縮硬化性部材６の組合せにより、従来技術の課題を解決し、衝突物８の衝撃エネルギーの瞬間的な放出を緩和し、衝撃力を上下方向および水平方向へ分散化し、衝撃吸収柵全体がネット状に変形して衝突物を捕捉する等の作用を同時に奏することができる。
【００９８】
図６は、本発明の他の実施形態による衝撃吸収柵を示している。
【００９９】
図６において、図１と同一の部分には同一の符号を付して重複する説明を省略する。
【０１００】
本実施形態の衝撃吸収柵１０は、図１の衝撃吸収柵１に比して、圧縮硬化性部材６の上に、すなわち、衝突物が飛来する側に、さらに複数個の圧縮硬化性部材１１を水平方向に設けている。なお、圧縮硬化性部材１１は、角度が水平方向に限定されず、複数の圧縮硬化性部材６にまたがって架設されていればよい。
【０１０１】
本実施形態の衝撃吸収柵１０によれば、衝撃力の分散化がさらに多重化され、さらに、圧縮硬化性部材１１によってクッション性が増大される。
【０１０２】
また、本発明の圧縮硬化性部材６は木材のチップや気体を利用する場合はきわめて軽量であるため、図６に示すような大きな容積を有する衝撃吸収柵ではあっても、何ら支障を生じることがない。
【０１０３】
圧縮硬化性部材６，１１の層をさらに多重化することもできる。
【０１０４】
本発明のさらに他の実施形態として、剛性部材５による層を多重化することができる（図示せず）。
【０１０５】
すなわち、剛性部材５の上に、すなわち衝突物が飛来する側に、複数の剛性部材５にまたがるように（たとえば垂直に）更に剛性部材の層を設けることができる。
【０１０６】
この実施形態よれば、さらに多数の剛性部材が衝撃力を分散して支持することになるため、剛性部材の破損を防止することができる。
【０１０７】
むろん、多重化する剛性部材の層は一層に限られず、三層以上の剛性部材の層を設けることができる。
【０１０８】
本発明のさらに他の実施形態として、横ロープを公知の緩衝具（たとえば特許第２７７２５０５号等）で把持することができる。
【０１０９】
緩衝具は、横ロープを一定の圧縮力で把持し、横ロープの張力が所定の値より大きくなると、摩擦を生じさせながら横ロープを摺動させる。
【０１１０】
緩衝具は、横ロープの余長部に設ければよく、横ロープの端部または中途部に取り付けることができる。たとえば、横ロープを把持する支柱または樹木等の支持部に設けるようにしてもよいし、横ローブの中途部にループや重畳部を設け、横ロープの余長部を摺動させることができるように設けてもよい。
【０１１１】
緩衝具は、横ロープに過大な張力がかかったときに、摩擦を生じさせながら横ロープを摺動させ、衝突エネルギーを吸収することができる。
【０１１２】
本実施形態によれば、衝撃吸収柵の弾性変形による衝突エネルギーの吸収と緩衝具による衝突エネルギーの吸収の総和からなる衝突エネルギーを吸収することができる。
【図面の簡単な説明】
【０１１３】
【図１】本発明の一実施形態による衝撃吸収柵を示した斜視図。
【図２】本発明の一実施形態による衝撃吸収柵の製造方法を説明的に示した図。
【図３】本発明の一実施形態による衝撃吸収柵の製造方法を説明的に示した図。
【図４】本発明の圧縮硬化性部材が衝撃力を剛性部材に分散する様子を示した説明図。
【図５】本発明の衝撃吸収柵と従来の衝撃吸収柵の作用を比較して説明する図。
【図６】本発明の他の実施形態による衝撃吸収柵を示した斜視図。
【図７】従来の衝撃吸収柵を示した斜視図。
【符号の説明】
【０１１４】
１  衝撃吸収柵
２  樹木
３  横ロープ
４  縦ロープ
５  剛性部材
６  圧縮硬化性部材
７  保護材
８  衝突物
１０  衝撃吸収柵
１１  圧縮硬化性部材
【図１】
0004431526.tif 000002
【図２】
0004431526.tif 000003
【図３】
0004431526.tif 000004
【図４】
0004431526.tif 000005
【図５】
0004431526.tif 000006
【図６】
0004431526.tif 000007
【図７】
0004431526.tif 000008